(57)【特許請求の範囲】
【請求項１】
ＬＥＤを有する光源部と、前記光源部を保持する枠体と、前記ＬＥＤから放射される光の配光を制御可能なレンズユニットと、前記枠体の内側に配置され前記枠体に回動自在に保持される円筒状の回動子と、前記回動子が前記回動子の外周方向に回動することで前記レンズユニットを前記回動子の中心軸に沿って移動可能とする変換機構とを備え、前記レンズユニットは、円板状の基体と、前記基体に形成され前記ＬＥＤから放射される光の配光を制御するレンズ部とを有し、前記変換機構は、前記基体の外周方向の一方向に沿って前記基体の一面から離れるように傾斜する傾斜片を有する第１傾斜部と、前記傾斜片の一表面が前記基体の外周方向に摺接可能な傾斜面を有する第２傾斜部と、前記傾斜片の他表面が前記基体の外周方向に摺接可能な摺接部と、前記レンズユニットが前記基体の外周方向に回動するのを防ぐ回動防止部とで構成され、前記第１傾斜部は、前記基体の周端部に一体に複数設けられ、前記第２傾斜部および前記摺接部の各々は、前記回動子に一体に複数設けられ、前記回動防止部は、前記枠体の内側面に複数突設されており、前記基体に、前記回動子が前記枠体から脱離するのを防ぐために前記回動子の回動範囲を規制する規制部が一体に設けられ、前記回動子に、前記規制部に係脱自在に係止可能な係止部が一体に設けられてなることを特徴とするＬＥＤモジュール。
【請求項２】
前記枠体の内側面には、内方へ突出する凸部が設けられ、前記回動子に、前記回動子が前記回動子の外周方向に回動自在に回動するのを案内するスリット部が形成され、前記スリット部に前記凸部を導入するための導入部が前記スリット部に連通するように形成されてなることを特徴とする請求項１記載のＬＥＤモジュール。
【請求項３】
前記光源部は、前記ＬＥＤが実装された配線基板を保持可能なホルダを有し、前記ホルダに、前記配線基板の周端部を保持する保持爪が突設され、前記ホルダと前記枠体との一方に、係合爪が突設され、他方に、前記係合爪が係合する係合穴が形成されてなることを特徴とする請求項２記載のＬＥＤモジュール。
【請求項４】
前記ホルダには、前記ホルダが前記枠体に係合された状態において、前記回動子を前記枠体の前記凸部との間に保持する保持部が一体に設けられてなることを特徴とする請求項３記載のＬＥＤモジュール。
【請求項５】
前記保持部は、前記ホルダが前記枠体に係合された状態において前記凸部に対応する位置に配置され、且つ、前記回動子が回動するときに前記スリット部の周部を前記枠体の前記凸部との間に保持するように形成されて、前記凸部は、正面視長円状に形成されてなることを特徴とする請求項４記載のＬＥＤモジュール。
【請求項６】
前記スリット部の内周壁には、前記凸部に弾接可能な突起が一体に設けられてなることを特徴とする請求項２ないし請求項５のいずれか１項に記載のＬＥＤモジュール。
【請求項７】
請求項１ないし請求項６のいずれか１項に記載のＬＥＤモジュールと、前記ＬＥＤモジュールを保持する器具本体とを備えてなることを特徴とする照明器具。
【発明の詳細な説明】
【技術分野】
【０００１】
本発明は、ＬＥＤモジュールおよびそれを用いた照明器具に関するものである。
【背景技術】
【０００２】
従来から、例えば、浴槽などのスポット照明として使用され、光源としてＬＥＤを用いた照明装置が提案されている（例えば、特許文献１）。
【０００３】
特許文献１には、図２４および図２５に示す構成の照明装置が開示されている。この照明装置は、略円筒形状に形成され内周面に雌ネジ溝８１ａが設けられた装置本体８１と、略円筒形状に形成され外周面に装置本体８１の雌ネジ溝８１ａと螺合する雄ネジ溝８２ａが設けられた調整部８２とを備えている。なお、雌ネジ溝８１ａおよび雄ネジ溝８２ａの各々は、多条ネジからなる。
【０００４】
また、この照明装置は、調整部８２の内周側に配置された略円筒状の内筒部８３と、６個のＬＥＤ８７が装置本体８１の軸線を中心とした円周上に等間隔で配置された基板８４と、凸レンズ形状に形成されたレンズ部８８を有する配光部８５とを備えている。また、この照明装置は、ヒートシンク８６を備えている。
【０００５】
調整部８２の先端部（図２５では、左端部）には、使用者が摘んで回転させるために、外側方向に突出した外側環状凸部８２ｂが設けられている。また、調整部８２の先端部には、配光部８５の位置決めをするために、内側方向に突出した内側環状凸部８２ｃが設けられている。
【０００６】
配光部８５は、円盤状に形成されたレンズアレイ板８５ａと、レンズアレイ板８５ａに立設された区画板８５ｂとを有している。また、レンズアレイ板８５ａには、基板８４に搭載された各ＬＥＤ８７の各々の光軸上に位置するように、上述のレンズ部８８が設けられている。
【０００７】
レンズアレイ板８５ａの周端部は、調整部８２の内側環状凸部８２ｃと内筒部８３の先端（図２５では、左端）との隙間によりできる環状凹部９１（図２５参照）に、回転摺動可能に嵌め込まれている。なお、内筒部８３の基端側（図２５では、右端側）には、外側方向に突出した内筒環状凸部８３ａが設けられている。
【０００８】
上述の照明装置では、調整部８２と内筒部８３とが、固定筒である装置本体８１に対する移動筒を構成しており、配光部８５を装置本体８１の軸線に沿って移動させる。ここにおいて、装置本体８１の外周面には、ネジ９２，９２により第１カバー部９３および第２カバー部９４が取り付けられる。これにより、上述の照明装置では、調整部８２の前進が、第１カバー部９３および第２カバー部９４の前部（図２５では、左部）により規制されるので、調整部８２が前進しすぎて装置本体８１から脱落するのを防止することができる。
【０００９】
基板８４には、６本の基板スリット８４ａが、装置本体８１の軸線を中心として放射状に設けられている。ここにおいて、配光部８５の区画板８５ｂは、隣接するレンズ部８８同士の間にレンズアレイ板８５ａの中心から放射状に配置されるとともに、基板８４側に向って延びるように板状に形成されており、貫通孔である上述の各基板スリット８４ａに挿通される。つまり、上述の照明装置では、区画板８５ｂと、この区画板８５ｂが挿通する基板スリット８４ａとで、調整部８２を回転させても配光部８５が供回りすることを防止する回転止め機構を構成している。
【先行技術文献】
【特許文献】
【００１０】
【特許文献１】特開２００７−２９９６７９号公報
【発明の概要】
【発明が解決しようとする課題】
【００１１】
上述の照明装置では、配光部８５を回転させることなく装置本体８１の軸線に沿って移動させることができる。したがって、上述の照明装置では、ＬＥＤ８７とレンズ部８８との位置関係がずれることなく、ＬＥＤ８７とレンズ部８８との距離を無段階に変更することが可能となるので、光の照射範囲を所望とする広さに無段階に調整することが可能である。
【００１２】
しかしながら、この照明装置では、配光部８５を装置本体８１の軸線に沿って移動させたときに、調整部８２が装置本体８１から脱落するのを防止するために、第１カバー部９３、第２カバー部９４およびネジ９２，９２が必要であり、コストアップが懸念される。
【００１３】
本発明は上記事由に鑑みて為されたものであり、その目的は、低コストで、光の照射範囲を所望の範囲に変更可能なＬＥＤモジュールおよびそれを用いた照明器具を提供することにある。
【課題を解決するための手段】
【００１４】
本発明のＬＥＤモジュールは、ＬＥＤを有する光源部と、前記光源部を保持する枠体と、前記ＬＥＤから放射される光の配光を制御可能なレンズユニットと、前記枠体の内側に配置され前記枠体に回動自在に保持される円筒状の回動子と、前記回動子が前記回動子の外周方向に回動することで前記レンズユニットを前記回動子の中心軸に沿って移動可能とする変換機構とを備え、前記レンズユニットは、円板状の基体と、前記基体に形成され前記ＬＥＤから放射される光の配光を制御するレンズ部とを有し、前記変換機構は、前記基体の外周方向の一方向に沿って前記基体の一面から離れるように傾斜する傾斜片を有する第１傾斜部と、前記傾斜片の一表面が前記基体の外周方向に摺接可能な傾斜面を有する第２傾斜部と、前記傾斜片の他表面が前記基体の外周方向に摺接可能な摺接部と、前記レンズユニットが前記基体の外周方向に回動するのを防ぐ回動防止部とで構成され、前記第１傾斜部は、前記基体の周端部に一体に複数設けられ、前記第２傾斜部および前記摺接部の各々は、前記回動子に一体に複数設けられ、前記回動防止部は、前記枠体の内側面に複数突設されており、前記基体に、前記回動子が前記枠体から脱離するのを防ぐために前記回動子の回動範囲を規制する規制部が一体に設けられ、前記回動子に、前記規制部に係脱自在に係止可能な係止部が一体に設けられてなることを特徴とする。
【００１５】
このＬＥＤモジュールにおいて、前記枠体の内側面には、内方へ突出する凸部が設けられ、前記回動子に、前記回動子が前記回動子の外周方向に回動自在に回動するのを案内するスリット部が形成され、前記スリット部に前記凸部を導入するための導入部が前記スリット部に連通するように形成されてなることが好ましい。
【００１６】
このＬＥＤモジュールにおいて、前記光源部は、前記ＬＥＤが実装された配線基板を保持可能なホルダを有し、前記ホルダに、前記配線基板の周端部を保持する保持爪が突設され、前記ホルダと前記枠体との一方に、係合爪が突設され、他方に、前記係合爪が係合する係合穴が形成されてなることが好ましい。
【００１７】
このＬＥＤモジュールにおいて、前記ホルダには、前記ホルダが前記枠体に係合された状態において、前記回動子を前記枠体の前記凸部との間に保持する保持部が一体に設けられてなることが好ましい。
【００１８】
このＬＥＤモジュールにおいて、前記保持部は、前記ホルダが前記枠体に係合された状態において前記凸部に対応する位置に配置され、且つ、前記回動子が回動するときに前記スリット部の周部を前記枠体の前記凸部との間に保持するように形成されて、前記凸部は、正面視長円状に形成されてなることが好ましい。
【００１９】
このＬＥＤモジュールにおいて、前記スリット部の内周壁には、前記凸部に弾接可能な突起が一体に設けられてなることが好ましい。
【００２０】
本発明の照明器具は、前記ＬＥＤモジュールと、前記ＬＥＤモジュールを保持する器具本体とを備えてなることを特徴とする。
【発明の効果】
【００２１】
本発明のＬＥＤモジュールにおいては、低コストで、光の照射範囲を所望の範囲に変更可能となる。
【００２２】
本発明の照明器具においては、低コストで、光の照射範囲を所望の範囲に変更可能なＬＥＤモジュールを用いた照明器具を提供することができる。
【図面の簡単な説明】
【００２３】
【図１】実施形態１のＬＥＤモジュールの分解斜視図である。
【図２】同上のＬＥＤモジュールにおけるホルダを示し、（ａ）は前側から見た斜視図、（ｂ）は後側から見た斜視図である。
【図３】同上のＬＥＤモジュールにおける枠体を示し、（ａ）は前側から見た斜視図、（ｂ）は後側から見た斜視図である。
【図４】同上のＬＥＤモジュールにおけるレンズユニットを示し、（ａ）は前側から見た斜視図、（ｂ）は後側から見た斜視図である。
【図５】同上のＬＥＤモジュールにおける回動子を示し、（ａ）は前側から見た斜視図、（ｂ）は後側から見た斜視図である。
【図６】同上のＬＥＤモジュールに関し、回動子を枠体に取り付ける方法を説明する説明図である。
【図７】同上のＬＥＤモジュールに関し、（ａ）はレンズユニットを回動子に取り付ける方法を説明する説明図、（ｂ）は（ａ）のＡ−Ａ断面図である。
【図８】（ａ）（ｂ）は同上のＬＥＤモジュールに関し、光源部を枠体に取り付ける方法を説明する説明図、（ｃ）は（ｂ）のＤ−Ｄ断面図である。
【図９】同上のＬＥＤモジュールに関し、回動子を回動させた状態を説明する説明図である。
【図１０】同上のＬＥＤモジュールに関し、回動子を回動させた状態を説明する他の説明図である。
【図１１】同上のＬＥＤモジュールに関し、回動子を回動させた状態を説明する別の説明図である。
【図１２】（ａ）は同上のＬＥＤモジュールに関し、レンズユニットが光源部から最も離れた状態を示す斜視図、（ｂ）は（ａ）のＢ−Ｂ断面図である。
【図１３】同上のＬＥＤモジュールに関し、回動子を回動させた状態を示す斜視図である。
【図１４】（ａ）は同上のＬＥＤモジュールに関し、レンズユニットが光源部に最も近づいた状態を示す斜視図、（ｂ）は（ａ）のＣ−Ｃ断面図である。
【図１５】同上のＬＥＤモジュールを器具本体に取り付ける方法を説明する説明図である。
【図１６】実施形態１の照明器具の構成例を示す斜視図である。
【図１７】同上の照明器具の他の構成例を示す斜視図である。
【図１８】実施形態２のＬＥＤモジュールにおいて、（ａ）は回動子の斜視図、（ｂ）は光源部を除き一部破断した斜視図である。
【図１９】実施形態３のＬＥＤモジュールにおいて光源部を除いたものを示し、（ａ）は前側から見た斜視図、（ｂ）は後側から見た斜視図である。
【図２０】同上のＬＥＤモジュールにおける枠体を示し、（ａ）は前側から見た斜視図、（ｂ）は後側から見た斜視図である。
【図２１】同上のＬＥＤモジュールにおけるレンズユニットを示し、（ａ）は前側から見た斜視図、（ｂ）は後側から見た斜視図である。
【図２２】同上のＬＥＤモジュールにおける回動子を示し、（ａ）は前側から見た斜視図、（ｂ）は後側から見た斜視図である。
【図２３】同上のＬＥＤモジュールに関し、（ａ）はレンズユニットが光源部から最も離れた状態を示す斜視図、（ｂ）はレンズユニットが光源部に最も近づいた状態を示す斜視図、（ｃ）は（ａ）のＥ−Ｅ断面図である。
【図２４】従来例の照明装置の分解斜視図である。
【図２５】同上の照明装置において、レンズアレイ板をＬＥＤから遠ざけた状態を示す概略断面図である。
【発明を実施するための形態】
【００２４】
（実施形態１）
以下、本実施形態のＬＥＤモジュールについて、図１〜図１５を参照しながら説明する。
【００２５】
本実施形態のＬＥＤモジュール１０は、ＬＥＤ９を有する光源部１と、光源部１を保持する枠体２と、ＬＥＤ９から放射される光の配光を制御可能なレンズユニット３と、枠体２の内側に配置され枠体２に回動自在に保持される円筒状の回動子４とを備えている。また、このＬＥＤモジュール１０は、回動子４が回動子４の外周方向に回動することでレンズユニット３を回動子４の中心軸に沿って移動可能とする変換機構８を備えている。
【００２６】
光源部１は、複数（本実施形態では、７つ）のＬＥＤ９と、これら複数のＬＥＤ９が実装される１枚の配線基板１１と、配線基板１１に電気的に接続された一対の電線１２，１２とを有するＬＥＤユニット２９を備えている。なお、図１では、７つのＬＥＤ９のうち５つのＬＥＤ９が見えている。また、複数のＬＥＤ９の電気的な接続関係は、直列接続や並列接続であってもよいし、直列接続と並列接続とを組み合わせた接続であってもよい。
【００２７】
ＬＥＤ９としては、例えば、青色光を放射するＬＥＤチップ（以下、青色ＬＥＤチップ）と、青色ＬＥＤチップから放射された青色光により励起されブロードな黄色光を放射する黄色蛍光体からなる蛍光体とを組み合わせて白色光を得る白色ＬＥＤを用いることができる。このようなＬＥＤ９は、例えば、青色ＬＥＤチップ（図示せず）と、この青色ＬＥＤチップが実装された１つの実装基板９ａと、青色ＬＥＤチップを覆い黄色蛍光体を含有した第１の透光性材料からなる色変換部（図示せず）とを有している。なお、１つの実装基板９ａに実装される青色ＬＥＤチップの個数は、１個でもよいし、複数個でもよい。また、第１の透光性材料としては、例えば、シリコーン樹脂、エポキシ樹脂、ガラスなどを用いることができる。
【００２８】
また、このＬＥＤ９は、青色ＬＥＤチップおよび色変換部を封止した第２の透光性材料（例えば、シリコーン樹脂、エポキシ樹脂、ガラスなど）からなる凸レンズ状の封止部９ｂを有している。
【００２９】
ここにおいて、ＬＥＤ９の蛍光体は、黄色蛍光体に限らず、例えば、赤色蛍光体と緑色蛍光体とを用いてもよい。また、ＬＥＤ９は、紫〜近紫外線を放射するＬＥＤチップと、赤色蛍光体、緑色蛍光体および青色蛍光体とを組み合わせて白色光を得る白色ＬＥＤを用いてもよい。さらに、ＬＥＤ９は、赤色光を放射するＬＥＤチップと緑色光を放射するＬＥＤチップと青色ＬＥＤチップとを組み合わせて白色光を得る白色ＬＥＤを用いてもよい。
【００３０】
配線基板１１は、例えば、金属ベースプリント配線板により形成されており、平面視において多角形状（本実施形態では、八角形状）に形成されている。なお、本実施形態のＬＥＤモジュール１０では、配線基板１１として金属ベースプリント配線板を用いているが、これに限らず、例えば、ガラスエポキシ樹脂などからなる絶縁性基材により形成されたプリント配線板、セラミック基板などを用いてもよい。また、本実施形態では、配線基板１１の外周形状を、平面視において八角形状としているが、これに限らず、例えば、四角形状、五角形状、円形状などであってもよい。
【００３１】
配線基板１１における各ＬＥＤ９の実装面側（図１では、下側）には、各ＬＥＤ９と電気的に接続可能な一対の第１電極部（図示せず）が、配線基板１１に形成された導体パターン（図示せず）の一部によりそれぞれ形成されている。ここにおいて、各ＬＥＤ９は、アノード電極が一対の第１電極部の一方に電気的に接続され、カソード電極が他方に電気的に接続されている。
【００３２】
また、配線基板１１における各ＬＥＤ９の実装面側には、各ＬＥＤ９および各一対の第１電極部以外の部位の大部分を覆う白色のレジスト層などからなる反射層（図示せず）が形成されている。これにより、本実施形態のＬＥＤモジュール１０では、各ＬＥＤ９から放射された光が配線基板１１に吸収されるのを抑制することが可能となる。
【００３３】
また、配線基板１１における各ＬＥＤ９の実装面側には、一対の電線１２，１２を電気的に接続可能な一対の端子部１５，１５（図１および図８参照）が配置されている。ここにおいて、各電線１２は、各端子部１５と電気的に接続可能な導電体１２ａ（図８参照）が絶縁被覆部１２ｂ（図８参照）により覆われた被覆電線であり、各端子部１５に電気的に接続される導電体１２ａの一部が露出している。また、配線基板１１における各ＬＥＤ９の実装面側には、複数のＬＥＤ９に給電するための一対の第２電極部（図示せず）が、上記導体パターンの一部により形成されている。ここにおいて、一対の端子部１５，１５は、一対の第２電極部に半田により電気的に接続されている。なお、図１および図８では、一対の端子部１５，１５のうち一方の端子部１５が見えている。また、本実施形態のＬＥＤモジュール１０では、配線基板１１の各第２電極部の近傍に、極性を示す“＋”、“−”を表記してもよい。これにより、本実施形態のＬＥＤモジュール１０では、一対の電線１２，１２の誤接続を防止することが可能となる。
【００３４】
各端子部１５は、Ｕ字状の端子板により構成されており、これら端子板の両脚片が、各第２電極部の各々に電気的に接続されている。
【００３５】
また、配線基板１１における各ＬＥＤ９の実装面側とは反対側（図１では、上側）には、電気絶縁性および熱伝導性を有する放熱シート１４が配置されている。これにより、本実施形態のＬＥＤモジュール１０では、光源部１で発生した熱を、放熱シート１４を通してＬＥＤモジュール１０を保持する器具本体２０（図１５参照）側へ効率よく放熱することが可能となる。
【００３６】
また、本実施形態のＬＥＤモジュール１０では、光源部１が、各ＬＥＤ９が実装された配線基板１１を保持可能なホルダ１３を有している。
【００３７】
ホルダ１３は、合成樹脂材料（例えば、ポリブチレンテレフタレート（ＰＢＴ）など）により構成することができる。なお、本実施形態のＬＥＤモジュール１０では、ホルダ１３を、黒色の合成樹脂材料により構成している。
【００３８】
また、ホルダ１３は、配線基板１１を収納する有底筒状（本実施形態では、有底円筒状）のホルダ本体１３ａと、ホルダ本体１３ａの開口側（図１では、上側）において外方へ延設された鍔部１３ｂとを有している。
【００３９】
ホルダ本体１３ａの深さ寸法は、配線基板１１の厚み寸法よりも若干大きく設定されている。また、ホルダ本体１３ａの内周形状は、配線基板１１の外周形状よりも若干大きく設定されている。
【００４０】
ホルダ本体１３ａの内底面には、配線基板１１をホルダ本体１３ａの外周方向に位置決めするためのリブ１３ｃ（図２参照）が、ホルダ本体１３ａの外周方向に離間して複数箇所（本実施形態では、２箇所）に突設されている。ここで、配線基板１１の周端部は、配線基板１１がホルダ本体１３ａ内に収納された状態においてホルダ本体１３ａの各リブ１３ｃに対応する位置の各々に、切欠き部１１ａが形成されている。これにより、本実施形態のＬＥＤモジュール１０では、配線基板１１を、ホルダ本体１３ａ内においてホルダ本体１３ａの外周方向に位置決めすることが可能となる。なお、図２では、２つのリブ１３ｃのうち１つのリブ１３ｃが見えている。また、図１では、２つの切欠き部１１ａのうち１つの切欠き部１１ａが見えている。
【００４１】
また、ホルダ本体１３ａの内底面には、配線基板１１の周端部を保持する保持爪１３ｄ（図３参照）が、ホルダ本体１３ａの外周方向に離間して複数箇所（本実施形態では、２箇所）に突設されている。要するに、ホルダ１３に、配線基板１１の周端部を保持する保持爪１３ｄが突設されている。ここで、配線基板１１の周端部には、各保持爪１３ｄが配線基板１１を保持するための突片１１ｂが配線基板１１と一体に設けられている。これにより、本実施形態のＬＥＤモジュール１０では、ホルダ１３が配線基板１１を保持することが可能となる。また、本実施形態のＬＥＤモジュール１０では、ホルダ本体１３ａの底部において各保持爪１３ｄの近傍に、貫通孔１３ｆが形成されており、各保持爪１３ｄが配線基板１１を保持した状態を確認することが可能となっている。
【００４２】
また、ホルダ本体１３ａの側部には、配線基板１１に電気的に接続された一対の電線１２，１２を外部へ導出する導出部１３ｅが設けられている。ここにおいて、ホルダ本体１３ａの底部には、ホルダ１３が配線基板１１を保持した状態において配線基板１１に実装された各ＬＥＤ９を露出させる複数の窓孔１３ｇ（図２参照）が形成されている。本実施形態のＬＥＤモジュール１０では、１つのＬＥＤ９を取り囲む平面視円形状である４つの窓孔１３ｇと、ホルダ１３の導出部１３ｅの近傍に位置する３つのＬＥＤ９を取り囲む平面視三角形状である窓孔１３ｇとが、複数の窓孔１３ｇを構成している。これにより、本実施形態のＬＥＤモジュール１０では、ホルダ１３が配線基板１１を保持した状態において配線基板１１に電気的に接続された一対の電線１２，１２を、導出部１３ｅを通して外部へ導出することが可能となる。以下、本実施形態のＬＥＤモジュール１０では、説明の便宜上、平面視三角形状である窓孔１３ｇを、窓孔１３ｈ（図２参照）と称する。
【００４３】
ホルダ１３の鍔部１３ｂには、枠体２がホルダ１３を係合するための係合爪１３ｋ（図３参照）が、ホルダ本体１３ａの外周方向に離間して複数箇所（本実施形態では、２箇所）に突設されている。要するに、ホルダ１３には、係合爪１３ｋが突設されている。なお、各係合爪１３ｋは、ホルダ本体１３ａの底面に沿った一方向に弾性変形が可能となっている。
【００４４】
また、鍔部１３ｂの内周部には、配線基板１１の上記反対側へ突出した突壁１３ｍ（図２参照）が、鍔部１３ｂと一体に設けられている。
【００４５】
枠体２は、例えば、合成樹脂材料（ＰＢＴなど）により構成することができる。なお、本実施形態のＬＥＤモジュール１０では、枠体２を、黒色の合成樹脂材料により構成している。
【００４６】
また、枠体２は、中央部に円形状の開口孔を有する板状（本実施形態では、円板状）の底壁２ａと、底壁２ａの外周縁から光源部１側（図１では、上側）に向かって突出する円筒状の第１側壁２ｂと、開口孔の内周縁から光源部１側とは反対側に向かって突出する円筒状の第２側壁２ｃとを連続一体に形成して構成されている。
【００４７】
第１側壁２ｂの内側面には、ホルダ１３の各係合爪１３ｋが各別に係合する複数（本実施形態では、２つ）の係合穴２ｇ（図３参照）が形成されている。要するに、枠体２には、ホルダ１３の係合爪１３ｋが係合する係合穴２ｇが形成されている。本実施形態のＬＥＤモジュール１０では、人が、ホルダ１３の各係合爪１３ｋを第１側壁２ｂの各係合穴２ｇの位置に合わせた後に、ホルダ１３を押し込むことによって、各係合爪１３ｋが各係合穴２ｇに各別に係合され、ホルダ１３を枠体２に保持させることが可能となる（図８参照）。ここで、第１側壁２ｂの内側面には、ホルダ１３の各係合爪１３ｋを各係合穴２ｇへ導入するための導入部２ｈ（図３参照）が、各係合穴２ｇの各々の近傍に形成されている。これにより、本実施形態のＬＥＤモジュール１０では、ホルダ１３の各係合爪１３ｋを第１側壁２ｂの各係合穴２ｇに各別に係合させる作業性を向上させることが可能となる。なお、図３では、２つの係合穴２ｇのうち１つの係合穴２ｇが見えている。また、本実施形態のＬＥＤモジュール１０では、ホルダ１３に係合爪１３ｋを突設し、枠体２に係合穴２ｇを形成しているが、枠体２に係合爪１３ｋを突設し、ホルダ１３に係合穴２ｇを形成してもよい。
【００４８】
したがって、本実施形態のＬＥＤモジュール１０では、光源部１が、ＬＥＤ９が実装された配線基板１１を保持可能なホルダ１３を有し、このホルダ１３に、配線基板１１の周端部を保持する保持爪１３ｄが突設され、ホルダ１３と枠体２との一方に、係合爪１３ｋが突設され、他方に、係合爪１３ｋが係合する係合穴２ｇが形成されているので、例えば、ねじなどの固定具を用いることなく、光源部１と枠体２とを組み立てることが可能となる。
【００４９】
また、第１側壁２ｂにおいて第２側壁２ｃ側とは反対側（図１では、上側）の端部に、ホルダ１３を枠体２の外周方向に位置決めするための凹部２ｊ（図１および図３など参照）が、枠体２の外周方向に離間して複数箇所（本実施形態では、４箇所）に形成されている。ここにおいて、ホルダ１３の鍔部１３ｂは、ホルダ１３が枠体２に保持された状態において第１側壁２ｂの各凹部２ｊに対応する位置の各々に、突片１３ｎ（図１および図２など参照）が突設されている。これにより、本実施形態のＬＥＤモジュール１０では、ホルダ１３が枠体２の外周方向に回動するのを防止することが可能となる。
【００５０】
レンズユニット３は、透光性材料（例えば、アクリル樹脂、ガラスなど）により構成することができる。なお、本実施形態のＬＥＤモジュール１０では、レンズユニット３を、アクリル樹脂（メタアクリル樹脂（ＰＭＭＡ）など）により構成している。
【００５１】
また、レンズユニット３は、円板状の基体３ａと、基体３に形成され各ＬＥＤ９の各々から放射される光の配光を各別に制御する複数（本実施形態では、７つ）のレンズ部３ｂとを有している。
【００５２】
基体３ａは、配線基板１１に実装された各ＬＥＤ９と対向する部位の各々に、各レンズ部３ｂが一体に形成されている。本実施形態のＬＥＤモジュール１０では、各レンズ部３ｂの光出射面側が、凸曲面状（例えば、非球面状）に形成されている。ここにおいて、本実施形態では、ホルダ本体１３ａの底部における配線基板１１側とは反対側（図１では、下側）に、平面視において各窓孔１３ｇ，１３ｈの各々を取り囲むように上記反対側へ突出し各レンズ部３ｂの光入射面の周部に当接可能な周壁１３ｊが、ホルダ本体１３ａと一体に設けられている。これにより、本実施形態のＬＥＤモジュール１０では、周壁１３ｊを遮光壁として利用することが可能となり、各ＬＥＤ９から放射された光が、各ＬＥＤ９の各々と対向するレンズ部３ｂ以外の他のレンズ部３ｂの光入射面に入射するのを抑制することが可能となる。また、本実施形態では、ホルダ１３の周壁１３ｊを黒色の合成樹脂材料により構成しているので、各ＬＥＤ９から放射された光が、各ＬＥＤ９の各々と対向するレンズ部３ｂ以外の他のレンズ部３ｂの光入射面に入射するのをさらに抑制することが可能となる。また、本実施形態では、ホルダ１３の窓孔１３ｈの内側に配置される３つのＬＥＤ９において、隣接するＬＥＤ９同士の間に、各電線１２が配置されている（図１参照）。さらに、本実施形態では、各電線１２の外径寸法と、周壁１３ｊの高さ寸法とを略同じ寸法に設定している。これにより、本実施形態のＬＥＤモジュール１０では、一対の電線１２，１２を遮光壁として利用することが可能となる。
【００５３】
ところで、枠体２の第１側壁２ｂの内側面には、レンズユニット３が基体３ａの外周方向に回動するのを防ぐ回動防止部２ｄ（図３参照）が、枠体２の外周方向に離間して複数箇所（本実施形態では、２箇所）に内方へ向かって突設されている。ここにおいて、レンズユニット３の基体３ａの周端部は、枠体２の内側にレンズユニット３が配置された状態において枠体２の第１側壁２ｂの各回動防止部２ｄに対応する位置の各々に、切欠き部３ｃが形成されている。これにより、本実施形態のＬＥＤモジュール１０では、回動子４の回動によりレンズユニット３が基体３ａの外周方向に回動するのを防止することが可能となる。また、ホルダ１３の鍔部１３ｂは、このホルダ１３が枠体２に係合された状態において枠体２の各回動防止部２ｄに対応する位置の各々に、各回動防止部２ｄと当接するのを回避するための第１切欠き部１３ｑが形成されている。また、ホルダ１３の鍔部１３ｂには、器具本体２０（図１５参照）がＬＥＤモジュール１０を保持するための第２切欠き部１３ｒ（図２参照）が、ホルダ本体１３ａの外周方向に離間して複数箇所（本実施形態では、２箇所）に形成されている。
【００５４】
各回動防止部２ｄには、ＬＥＤモジュール１０を器具本体２０に固定するための固定ねじ（図示せず）が螺合する固定ねじ孔１６（図３参照）が形成されている。各固定ねじ孔１６は、底壁２ａの開口孔の中心線に平行な方向に沿って形成されている。
【００５５】
また、第１側壁２ｂの外側面には、各回動防止部２ｄに対応する位置の各々に、底壁２ａの開口孔の中心線に平行な方向に沿った溝部２ｅが形成されている。各溝部２ｅは、底壁２ａの開口孔の中心線に平行な方向の長さ寸法が、第１側壁２ｂの高さ寸法の半分に設定されており、第１側壁２ｂにおいて第２側壁２ｃ側に配置されている。これにより、本実施形態のＬＥＤモジュール１０では、枠体２を成形する際に、第１側壁２ｂの外側面にひけが生じるのを抑制することが可能となる。
【００５６】
また、第１側壁２ｂの内側面には、内方へ突出する凸部２ｆが、枠体２の外周方向に離間して複数箇所（本実施形態では、２箇所）に突設されている。要するに、枠体２の内側面には、内方へ突出する凸部２ｆが設けられている。
【００５７】
回動子４は、例えば、合成樹脂材料（ＰＢＴなど）により構成することができる。なお、本実施形態のＬＥＤモジュール１０では、回動子４を、黒色の合成樹脂材料により構成している。したがって、本実施形態のＬＥＤモジュール１０では、枠体２および回動子４を、黒色の合成樹脂材料により構成しているので、各レンズ部３ｂの光出射面側の周部から出射される光を遮断することが可能となり、光源部１からの光を一定範囲に集光させることが可能となる。
【００５８】
また、回動子４は、円筒状に形成された回動子本体４ａと、この回動子本体４ａにおける中心軸に沿った方向の一端部（図１では、上端部）に外方へ延設された複数（本実施形態では、２つ）の外鍔部４ｂとを有している。ここで、各外鍔部４ｂの突出寸法は、枠体２の底壁２ａの幅寸法よりも若干大きく設定されている。これにより、本実施形態のＬＥＤモジュール１０では、回動子４を枠体２の内側に配置することによって、枠体２が回動子４を保持することが可能となる。
【００５９】
回動子本体４ａの他端部側（図１では、下端部側）の外側壁には、人が回動子４を指で回動させる際に、指の滑りを抑制するための滑り止め部４ｃが、回動子本体４ａの外周方向に離間して複数箇所（本実施形態では、２箇所）に設けられている。本実施形態のＬＥＤモジュール１０では、各滑り止め部４ｃを、回動子本体４ａの外側壁においてこの回動子本体４ａにおける中心軸に沿った方向に形成された複数の溝４ｊにより構成している。各溝４ｊは、回動子本体４ａの外側壁において回動子本体４ａの外周方向に沿って形成されており、断面視形状がＶ字状に形成されている。
【００６０】
また、回動子本体４ａの他端部側の外側壁には、枠体２に対する回動子４の回動位置を示す目印４ｄが、回動子本体４ａの外周方向に離間して複数（本実施形態では、２つ）設けられている。ここにおいて、枠体２の第２側壁２ｃにおいて第１側壁２ｂ側とは反対側（図１では、下側）の外側壁には、光源部１とレンズユニット３との間の距離を調整するための目盛り部２ｋが、枠体２の外周方向に離間して複数（本実施形態では、２つ）設けられている。本実施形態のＬＥＤモジュール１０では、各目盛り部２ｋを、光源部１とレンズユニット３との間の距離を示す複数（本実施形態では、５つ）の目盛り２ｍにより構成している。したがって、本実施形態のＬＥＤモジュール１０では、人が、枠体２に対して回動子４を回動させる際に、回動子本体４ａの目印４ｄを、枠体２の目盛り部２ｋにおける複数の目盛り２ｍのうちの１つの目盛り２ｍに合わせることによって、光源部１とレンズユニット３との間の距離を容易に調整することが可能となる。
【００６１】
各外鍔部４ｂの外周端には、回動子４が枠体２に保持された状態において第１側壁２ｂの内面に沿って外周壁４ｅが延設されている。
【００６２】
各外周壁４ｅには、回動子４がこの回動子４の外周方向に回動自在に回動するのを案内するスリット部４ｆが、回動子本体４ａの外周方向に沿って形成されている。要するに、回動子４には、回動子４がこの回動子４の外周方向に回動自在に回動するのを案内するスリット部４ｆが形成されている。各スリット部４ｆには、各凸部２ｆを各別に導入するための導入部４ｇがこれらスリット部４ｆに連通するようにそれぞれ形成されている。要するに、スリット部４ｆに、凸部２ｆを導入するための導入部４ｇがスリット部４ｆに連通するように形成されている。各導入部４ｇは、各スリット部４ｆにおいて回動子本体４ａ側（図１では、下側）に配置されている。
【００６３】
したがって、本実施形態のＬＥＤモジュール１０では、枠体２の内側面に、内方へ突出する凸部２ｆが設けられ、回動子４に、回動子４が回動子４の外周方向に回動自在に回動するのを案内するスリット部４ｆが形成され、スリット部４ｆに、凸部２ｆを導入するための導入部４ｇがスリット部４ｆに連通するように形成されているので、回動子４を枠体２に回動自在に保持させることが可能となり（図６参照）、回動子４を回動子４の外周方向に回動させることが可能となる。また、本実施形態では、各導入部４ｇをスリット部４ｆにおいて回動子本体４ａ側に配置しているので、枠体２の各凸部２ｆを回動子４の各導入部４ｇに導入することによって、回動子４を枠体２に取り付けることが可能となる。ホルダ１３の鍔部１３ｂには、このホルダ１３が枠体２に係合された状態において、回動子４を枠体２の凸部２ｆとの間に保持する一対の保持部１８，１８がホルダ１３と一体に設けられている。要するに、ホルダ１３には、このホルダ１３が枠体２に係合された状態において、回動子４を枠体２の凸部２ｆとの間に保持する保持部１８が一体に設けられている。これにより、本実施形態のＬＥＤモジュール１０では、枠体２の各凸部２ｆの形状が変形するのを抑制することが可能となる。なお、本実施形態のＬＥＤモジュール１０では、複数対の保持部１８，１８が、ホルダ１３の鍔部１３ｂに設けられている。
【００６４】
本実施形態のＬＥＤモジュール１０では、各一対の保持部１８，１８が、ホルダ１３が枠体２に係合された状態において、枠体２の各凸部２ｆに対応する位置の各々に配置されている。具体的に説明すると、各一対の保持部１８，１８は、ホルダ１３が枠体２に係合された状態において、一対の保持部１８，１８の間に枠体２の各凸部２ｆが位置するように配置されている。また、本実施形態では、各一対の保持部１８，１８が、回動子４が回動するときに、回動子４の各外周壁４ｅにおける各スリット部４ｆの周部を保持するように形成されている。ここで、各凸部２ｆは、正面視長円状に形成されている。したがって、本実施形態のＬＥＤモジュール１０では、保持部１８が、ホルダ１３が枠体２に係合された状態において凸部２ｆに対応する位置に配置され、且つ、回動子４が回動するときにスリット部４ｆの周部を保持するように形成されて、各凸部２ｆが正面視長円状に形成されているので、枠体２の各凸部２ｆや回動子４の各スリット部４ｆの内周壁が変形するのを抑制することが可能となる。また、本実施形態では、各凸部２ｆを正面視長円状に形成しているので、各凸部２ｆが各スリット部４ｆと摺接する面積が大きくなり、枠体２が回動子４を保持する保持力を高めることが可能となる。
【００６５】
ところで、変換機構８は、レンズユニット３の基体３ａの外周方向の一方向に沿って基体３ａの一面（図１では、下面）から離れるように傾斜する傾斜片５ａを有する第１傾斜部５と、傾斜片５ａの一表面５ｄ（図１および図４参照）が基体３ａの外周方向に摺接可能な傾斜面６ａ（図５参照）を有する第２傾斜部６と、傾斜片５ａの他表面５ｃ（図４参照）が基体３ａの外周方向に摺接可能な摺接部７と、上述の回動防止部２ｄとで構成されている。
【００６６】
第１傾斜部５は、レンズユニット３の基体３ａの周端部に、この基体３ａの外周方向に離間して基体３ａと一体に複数（本実施形態では、４つ）設けられている。なお、本実施形態のＬＥＤモジュール１０では、各第１傾斜部５が、レンズ部３ｂの光出射面側へ突出するように設けられている。
【００６７】
また、各第１傾斜部５は、基体３ａの外周方向の一方向に沿って基体３ａから徐々にレンズ部３ｂの光出射面側へ突出するように傾斜する上述の傾斜片５ａと、基体３ａと一体に形成され傾斜片５ａを支持する支持片５ｂとを連続一体に形成して構成されている。
【００６８】
第２傾斜部６は、回動子４の各外鍔部４ｂに、回動子本体４ａの外周方向に離間して回動子４と一体にレンズユニット３側（図１では、上側）へ向かって複数（本実施形態では、２つ）ずつ突設されている。
【００６９】
摺接部７は、回動子４の各外鍔部４ｂに、回動子本体４ａの外周方向に離間して回動子４と一体にレンズユニット３側へ向かって複数（本実施形態では、２つ）ずつ突設されている。要するに、本実施形態のＬＥＤモジュール１０では、第２傾斜部６および摺接部７の各々が、回動子４に一体に複数設けられている。
【００７０】
また、各第１傾斜部５の傾斜片５ａの各々には、回動子４の各摺接部７を傾斜片５ａの他表面５ｃに各別に導くための切欠き部５ｅが形成されている。これにより、本実施形態のＬＥＤモジュール１０では、回動子４の各摺接部７が、レンズユニット３の各第１傾斜部５における傾斜片５ａの他表面５ｃに摺接することが可能となる。なお、本実施形態のＬＥＤモジュール１０では、回動子４の各外鍔部４ｂにおける各摺接部７の近傍の各々に、貫通孔４ｈが形成されており、各摺接部７がレンズユニット３の各傾斜片５ａの他表面５ｃに摺接した状態を確認することが可能となっている。
【００７１】
以下、本実施形態のＬＥＤモジュール１０に関して、回動子４の回動に対してレンズユニット３が回動子４の中心軸に沿って移動するのを、図９〜図１４に基づいて説明する。
【００７２】
本実施形態のＬＥＤモジュール１０では、図９に示すように、枠体２の各凸部２ｆが回動子４の各スリット部４ｆの各導入部４ｇ側とは反対側（図９では、左側）の端部に配置された場合、回動子４の各第２傾斜部６および各摺接部７が、レンズユニット３の各第１傾斜部５における傾斜片５ａの一端部側（図４では、右端部側）の端部に配置されるので、光源部１とレンズユニット３との間の距離が最も長くなり、光源部１の各ＬＥＤ９から放射される光の照射範囲が最も狭くなる。ここで、本実施形態のＬＥＤモジュール１０では、図１０に示すように、人が、図１０中に示した矢印の方向に回動子４を回動させると、回動子４の各摺接部７がレンズユニット３の各第１傾斜部５における傾斜片５ａの他表面５ｃを基体３ａの外周方向の一方向に摺接するとともに、回動子４の各第２傾斜部６の傾斜面６ａがレンズユニット３の各第１傾斜部５における傾斜片５ａの一表面５ｄを基体３ａの外周方向の一方向に摺接し、徐々に、レンズユニット３が光源部１側へ近づくように移動するので、光源部１とレンズユニット３との間の距離が徐々に短くなり、光源部１の各ＬＥＤ９から放射される光の照射範囲が徐々に広くなる。
【００７３】
そして、本実施形態のＬＥＤモジュール１０では、図１１に示すように、枠体２の各凸部２ｆが回動子４の各スリット部４ｆの各導入部４ｇ側（図１１では、右側）の端部に配置された場合、回動子４の各第２傾斜部６および各摺接部７が、レンズユニット３の各第１傾斜部５における傾斜片５ａの他端部側（図４では、左端部側）の端部に配置されるので、光源部１とレンズユニット３との間の距離が最も短くなり、光源部１の各ＬＥＤ９から放射される光の照射範囲が最も広くなる。
【００７４】
ここにおいて、本実施形態のＬＥＤモジュール１０では、レンズユニット３の各第１傾斜部５の支持片５ｂが、回動子４が枠体２から脱離するのを防ぐために回動子４の回動範囲を規制する規制部としての機能を有している。要するに、本実施形態のＬＥＤモジュール１０では、レンズユニット３の基体３ａに、回動子４が枠体２から脱離するのを防ぐために回動子４の回動範囲を規制する規制部（支持片５ｂ）が一体に設けられている。また、本実施形態のＬＥＤモジュール１０では、回動子４の各摺接部７が、規制部（支持片５ｂ）に係脱自在に係止可能な係止部としての機能を有している。要するに、本実施形態のＬＥＤモジュール１０では、回動子４に、規制部（支持片５ｂ）に係脱自在に係止可能な係止部（摺接部７）が一体に設けられている。これにより、本実施形態のＬＥＤモジュール１０では、回動子４の回動範囲を規制することが可能となり、例えば、ねじなどの固定具を用いることなく、回動子４が枠体２から脱離するのを防止することが可能となる。
【００７５】
以上説明した本実施形態のＬＥＤモジュール１０では、ＬＥＤ９を有する光源部１と、光源部１を保持する枠体２と、ＬＥＤ９から放射される光の配光を制御可能なレンズユニット３と、枠体２の内側に配置され枠体２に回動自在に保持される円筒状の回動子４と、回動子４が回動子４の外周方向に回動することでレンズユニット３を回動子４の中心軸に沿って移動可能とする変換機構８とを備え、レンズユニット３は、円板状の基体３ａと、基体３ａに形成されＬＥＤ９から放射される光の配光を制御するレンズ部３ｂとを有している。また、本実施形態のＬＥＤモジュール１０では、変換機構８は、基体３ａの外周方向の一方向に沿って基体３ａの一面から離れるように傾斜する傾斜片５ａを有する第１傾斜部５と、傾斜片５ａの一表面５ｄが基体３ａの外周方向に摺接可能な傾斜面６ａを有する第２傾斜部６と、傾斜片５ａの他表面５ｃが基体３ａの外周方向に摺接可能な摺接部７と、レンズユニット３が基体３ａの外周方向に回動するのを防ぐ回動防止部２ｄとで構成され、第１傾斜部５は、基体３ａの周端部に一体に複数設けられ、第２傾斜部６および摺接部７の各々は、回動子４に一体に複数設けられ、回動防止部２ｄは、枠体２の内側面に複数突設されており、基体３ａに、回動子４が枠体２から脱離するのを防ぐために回動子４の回動範囲を規制する規制部（支持片５ｂ）が一体に設けられ、回動子４に、規制部（支持片５ｂ）に係脱自在に係止可能な係止部（摺接部７）が一体に設けられることによって、図２４および図２５に示した構成の従来例の照明装置に比べて、低コストで、光の照射範囲を所望の範囲に変更可能となる。
【００７６】
以下、本実施形態のＬＥＤモジュール１０を用いた照明器具の一例について、図１５および図１６に基づいて説明する。
【００７７】
本実施形態の照明器具３０は、ＬＥＤモジュール１０と、ＬＥＤモジュール１０を保持する器具本体２０とを備えている。
【００７８】
器具本体２０は、例えば、アルミニウムなどの金属により構成することができる。
【００７９】
また、器具本体２０は、中央部に円形状の開口孔を有する板状（本実施形態では、円板状）の底壁２１ａと、底壁２１ａの外周縁からＬＥＤモジュール１０側（図１５では、下側）に向かって突出する側壁２１ｂとを連続一体に形成して構成された本体部２１を有している。また、器具本体２０は、ＬＥＤモジュール１０で発生した熱を放熱する放熱部２２を有しており、この放熱部２２は、本体部２１の底壁２１ａにおいてＬＥＤモジュール１０側とは反対側（図１５では、上側）に配置されている。なお、本実施形態の照明器具３０では、器具本体２０を金属により構成しているが、これに限らず、例えば、金属以外の材料により構成してもよい。
【００８０】
本体部２１の底壁２１ａの内周部には、ＬＥＤモジュール１０における一対の電線１２，１２を、器具本体２０の外部へ導出するための切欠き部２３が形成されている。
【００８１】
また、本体部２１の底壁２１ａには、ＬＥＤモジュール１０を保持する保持片２５が、底壁２１ａの外周方向に離間して複数箇所（本実施形態では、２箇所）に設けられている。本実施形態の照明器具３０では、本体部２１の各保持片２５を、ＬＥＤモジュール１０のホルダ１３の各切欠き部１３ｒに通してホルダ１３を保持することによって、器具本体２０がＬＥＤモジュール１０を保持することが可能となる。なお、図１５では、２つの保持片２５のうち１つの保持片２５が見えている。
【００８２】
また、本体部２１の底壁２１ａには、ＬＥＤモジュール１０を器具本体２０に固定するための上記固定ねじを挿通する固定ねじ挿通孔２６が、底壁２１ａの外周方向に離間して複数箇所（本実施形態では、２箇所）に設けられている。ここで、各固定ねじ挿通孔２６は、ＬＥＤモジュール１０が器具本体２０に保持された状態において、ＬＥＤモジュール１０における各回動防止部２ｄの各固定ねじ孔１６に対応する位置の各々に設けられている。これにより、本実施形態の照明器具３０では、ＬＥＤモジュール１０を器具本体２０に固定することが可能となる。なお、図１５では、２つの固定ねじ挿通孔２６のうち１つの固定ねじ挿通孔２６が見えている。
【００８３】
本体部２１の側壁２１ｂには、上述の照明器具３０を、例えば、配線ダクト４０（図１６参照）に保持された保持具４１（図１６参照）に取り付けるための第１の取付ねじ（図示せず）を螺合するねじ孔２８が、底壁２１ａの外周方向に離間して複数箇所（本実施形態では、２箇所）に設けられている。なお、図１５では、２つのねじ孔２８のうち１つのねじ孔２８が見えている。
【００８４】
放熱部２２は、ＬＥＤモジュール１０における放熱シート１４と接触可能な板状（本実施形態では、円板状）の接触部２２ａと、この接触部２２ａにおいてＬＥＤモジュール１０側とは反対側（図１５では、上側）に立設された複数の板状の放熱フィン２２ｂとで構成することができる。なお、本実施形態の照明器具３０では、放熱部２２を本体部２１に取り付ける手段として、例えば、放熱部２２を本体部２１に取り付けるための第２の取付ねじ（図示せず）を用いているが、放熱部２２を本体部２１に取り付ける手段は、これに限るものではない。
【００８５】
接触部２２ａの外周端には、放熱部２２が本体部２１に取り付けられた状態において、本体部２１の底壁２１ａの切欠き部２３に対応する位置に、ＬＥＤモジュール１０における一対の電線１２，１２を、器具本体２０の外部へ導出するための切欠き部２４が設けられている。本実施形態の照明器具３０では、切欠き部２３と切欠き部２４とが、ＬＥＤモジュール１０における一対の電線１２，１２を、底部２１ａおよび接触部２２ａのＬＥＤモジュール１０側から上記反対側へ導出するための導出孔２７を構成している。
【００８６】
以下、本実施形態の照明器具３０の使用例について、図１６に基づいて説明する。
【００８７】
本実施形態の照明器具３０は、例えば、天井面に設置される配線ダクト４０に取り付けられるスポットライトとして使用される。この照明器具３０は、器具本体２０を配線ダクト４０に保持させるための保持具４１と、配線ダクト４０に設けられた導電板（図示せず）に電気的に接続されＬＥＤモジュール１０に電源を供給する電源ユニット４２とを有している。なお、図１６に示した構成の照明器具３０では、ＬＥＤモジュール１０における一対の電線１２，１２を、照明器具３０から導出された１本の電源ケーブル３１により構成している。また、本実施形態の照明器具３０では、使用例として、配線ダクト４０に取り付けられたスポットライトを例示しているが、これに限らず、例えば、図１７に示すように、天井材に埋め込み配置されるスポットライトなどであってもよい。
【００８８】
以上説明した本実施形態の照明器具３０では、上述のＬＥＤモジュール１０と、ＬＥＤモジュール１０を保持する器具本体２０とを備えているので、低コストで、光の照射範囲を所望の範囲に変更可能となる。
【００８９】
（実施形態２）
以下、本実施形態のＬＥＤモジュール１０について、図１８に基づいて説明する。
【００９０】
本実施形態のＬＥＤモジュール１０の基本構成は、実施形態１と同じであり、回動子４の各スリット部４ｆの内周壁に、枠体２の各凸部２ｆに弾接可能な突起１９が一体に設けられる点が実施形態１と相違する。なお、実施形態１と同様の構成要素には同一の符号を付して説明を適宜省略する。また、図１８中に付した符号Ｐは、一部が破断した箇所を示している。
【００９１】
本実施形態のＬＥＤモジュール１０では、突起１９を、回動子４の各スリット部４ｆに複数（本実施形態では、４つ）ずつ形成している。ここで、本実施形態のＬＥＤモジュール１０では、枠体２の凸部２ｆに対して突起１９を１対複数で設けているが、１対１で設けてもよい。
【００９２】
したがって、本実施形態のＬＥＤモジュール１０では、スリット部４ｆの内周壁に、凸部２ｆに弾接可能な突起１９が一体に設けられているので、人が回動子４を回動させるときに、各スリット部４ｆの各突起１９が枠体２の各凸部２ｆに各別に弾接するので、人にクリック感を与えることが可能となる。なお、本実施形態のＬＥＤモジュール１０を、実施形態１で説明した照明器具２０に用いてもよい。
【００９３】
（実施形態３）
本実施形態のＬＥＤモジュール１０の基本構成は、実施形態１と同じであり、枠体２、レンズユニット３および回動子４の一部が実施形態１と相違する。なお、実施形態１と同様の構成要素には同一の符号を付して説明を適宜省略する。
【００９４】
レンズユニット３の各レンズ部３ｂは、図２１に示すように、光入射面側が凸曲面状に形成されている。各レンズ部３ｂの光入射面側の中央部には、凹部５２が形成されており、これら各凹部５２の内面が、各ＬＥＤ９からの光を入射する光入射面を構成している。なお、本実施形態では、各第１傾斜部５が、レンズ部３ｂの光入射面側へ突出するように形成されている。
【００９５】
回動子４の各外周壁４ｅにおける外周面の各々には、図２２に示すように、枠体２が回動子４を保持するための凸部５０が、外方に向かって突設されている。ここにおいて、枠体２の第１側壁２ｂには、図２０に示すように、回動子４が回動子４の外周方向に回動自在に回動するのを案内するスリット部５１が複数箇所（本実施形態では、２箇所）に設けられている。各スリット部５１は、枠体２の第１側壁２ｂの外周方向に沿って形成されている。また、各スリット部５１には、各凸部５０を導入するための導入部５１ａが、各スリット部５１に連通するように形成されている。各導入部５１ａは、各スリット部５１において回動子本体４側とは反対側（図１９では、上側）に配置され開放されている。
【００９６】
以下、本実施形態のＬＥＤモジュール１０に関して、回動子４の回動に対してレンズユニット３が回動子４の中心軸に沿って移動するのを、図２３に基づいて説明する。
【００９７】
本実施形態のＬＥＤモジュール１０では、図２３（ａ）に示すように、回動子４の各凸部５０が枠体２の各スリット部５１の各導入部５１ａ側とは反対側（図２３では、右側）の端部に配置された場合、回動子４の各摺接部７がレンズユニット３の各傾斜片５ａの一端部側（図２１では、右端部側）の端部に配置されるので、光源部１とレンズユニット３との間の距離が最も長くなり、光源部１の各ＬＥＤ９から放射される光の照射範囲が最も狭くなる。ここで、本実施形態のＬＥＤモジュール１０では、人が、図２３（ｂ）中に示した矢印の方向に回動子４を回動させると、回動子４の各摺接部７がレンズユニット３の各傾斜片５ａの傾斜面５ｃを摺接し、徐々に、レンズユニット３が光源部１側へ近づくように移動するので、光源部１とレンズユニット３との間の距離が徐々に短くなり、光源部１の各ＬＥＤ９から放射される光の照射範囲が徐々に広くなる。
【００９８】
そして、本実施形態のＬＥＤモジュール１０では、図２３（ｂ）に示すように、回動子４の各凸部５０が枠体２の各スリット部５１の各導入部５１ａ側（図２３では、左側）の端部に配置された場合、回動子４の各摺接部７がレンズユニット３の各傾斜片５ａの他端部側（図２１では、左端部側）の端部に配置されるので、光源部１とレンズユニット３との間の距離が最も短くなり、光源部１の各ＬＥＤ９から放射される光の照射範囲が最も広くなる。
【００９９】
また、レンズユニット３の基体３ａの周端部には、回動子４が枠体２から脱離するのを防ぐために回動子４の回動範囲を規制する規制部５３（図２１参照）が、この基体３ａと一体に設けられている。要するに、本実施形態のＬＥＤモジュール１０では、レンズユニット３の基体３ａに、回動子４が枠体２から脱離するのを防ぐために回動子４の回動範囲を規制する規制部５３が一体に設けられている。なお、本実施形態のＬＥＤモジュール１０では、規制部５３が、基体３ａの周端部に複数（本実施形態では、２つ）設けられている。
【０１００】
また、回動子４の各外周壁４ｅには、規制部５３に係脱自在に係止可能な係止部５４（図１９および図２２など参照）が、この回動子４の各外周壁４ｅと一体に設けられている。要するに、本実施形態のＬＥＤモジュール１０では、回動子４に、規制部５３に係脱自在に係止可能な係止部５４が一体に設けられている。これにより、本実施形態のＬＥＤモジュール１０では、回動子４の回動範囲を規制することが可能となり、例えば、ねじなどの固定具を用いることなく、回動子４が枠体２から脱離するのを防止することが可能となる。なお、本実施形態のＬＥＤモジュール１０では、抑制部５４が、回動子４の各外周壁４ｅに１つずつ設けられている。
【０１０１】
以上説明した本実施形態のＬＥＤモジュール１０でも、ＬＥＤ９を有する光源部１と、光源部１を保持する枠体２と、ＬＥＤ９から放射される光の配光を制御可能なレンズユニット３と、枠体２の内側に配置され枠体２に回動自在に保持される円筒状の回動子４と、回動子４が回動子４の外周方向に回動することでレンズユニット３を回動子４の中心軸に沿って移動可能とする変換機構８とを備え、レンズユニット３は、円板状の基体３ａと、基体３ａに形成されＬＥＤ９から放射される光の配光を制御するレンズ部３ｂとを有している。また、本実施形態のＬＥＤモジュール１０では、変換機構８は、基体３ａの外周方向の一方向に沿って基体３ａの一面から離れるように傾斜する傾斜片５ａを有する第１傾斜部５と、傾斜片５ａの一表面５ｄが基体３ａの外周方向に摺接可能な傾斜面６ａを有する第２傾斜部６と、傾斜片５ａの他表面５ｃが基体３ａの外周方向に摺接可能な摺接部７と、レンズユニット３が基体３ａの外周方向に回動するのを防ぐ回動防止部２ｄとで構成され、第１傾斜部５は、基体３ａの周端部に一体に複数設けられ、第２傾斜部６および摺接部７の各々は、回動子４に一体に複数設けられ、回動防止部２ｄは、枠体２の内側面に複数突設されており、基体３ａに、回動子４が枠体２から脱離するのを防ぐために回動子４の回動範囲を規制する規制部５３が一体に設けられ、回動子４に、規制部５３に係脱自在に係止可能な係止部５４が一体に設けられることによって、図２４および図２５に示した構成の従来例の照明装置に比べて、低コストで、光の照射範囲を所望の範囲に変更可能となる。
【符号の説明】
【０１０２】
１  光源部
２  枠体
２ｄ  回動防止部
２ｆ  凸部
２ｇ  係合穴
３  レンズユニット
３ａ  基体
３ｂ  レンズ部
４  回動子
４ｆ  スリット部
４ｇ  導入部
５  第１傾斜部
５ａ  傾斜片
５ｂ  支持片（規制部）
５ｃ  他表面
５ｄ  一表面
６  第２傾斜部
６ａ  傾斜面
７  摺接部（係止部）
８  変換機構
９  ＬＥＤ
１０  ＬＥＤモジュール
１１  配線基板
１３  ホルダ
１３ｄ  保持爪
１３ｋ  係合爪
１８  保持部
１９  突起
２０  器具本体
３０  照明器具
５３  規制部
５４  係止部
【図１】
0005870288.tif 000002
【図２】
0005870288.tif 000003
【図３】
0005870288.tif 000004
【図４】
0005870288.tif 000005
【図５】
0005870288.tif 000006
【図６】
0005870288.tif 000007
【図７】
0005870288.tif 000008
【図８】
0005870288.tif 000009
【図９】
0005870288.tif 000010
【図１０】
0005870288.tif 000011
【図１１】
0005870288.tif 000012
【図１２】
0005870288.tif 000013
【図１３】
0005870288.tif 000014
【図１４】
0005870288.tif 000015
【図１５】
0005870288.tif 000016
【図１６】
0005870288.tif 000017
【図１７】
0005870288.tif 000018
【図１８】
0005870288.tif 000019
【図１９】
0005870288.tif 000020
【図２０】
0005870288.tif 000021
【図２１】
0005870288.tif 000022
【図２２】
0005870288.tif 000023
【図２３】
0005870288.tif 000024
【図２４】
0005870288.tif 000025
【図２５】
0005870288.tif 000026